(57)【要約】【課題】高記録密度大容量の光記録媒体について情報信号を記録および／または再生することができる情報記録および／または再生装置を提供する。【解決手段】レーザ光源１１から出射された遠紫外線領域の波長である短波長の２２０ｎｍ〜２８０ｎｍの記録再生用レーザ光Ｌにより光記録媒体２０について情報の再生および／または記録を行う。高屈折率、高透過率のダイヤモンドや酸化ハフニウム等を材料とするＳＩＬ１２ａにより構成される実効ＮＡが１以上である収束レンズ１２により記録再生用レーザ光Ｌを光記録媒体２０へと集光する。【選択図】　　　　図１
2004039046.tif 000002
【特許請求の範囲】
【請求項１】
レーザ光を出射するレーザ光源と、このレーザ光が入射される対物レンズとソリッドイマージョンレンズから構成される２群レンズとを有し、前記レーザ光を前記２群レンズにより光記録媒体上に集光することにより情報信号を記録および／または再生する情報記録および／または再生装置であって、前記レーザ光の波長が２２０〜２８０ｎｍであり、
前記２群レンズの開口数が１以上であり、
前記ソリッドイマージョンレンズはダイヤモンドを材料として形成されていることを特徴とする情報記録および／または再生装置。
【請求項２】
前記ソリッドイマージョンレンズが超半球形状であることを特徴とする請求項１記載の情報記録および／または再生装置。
【請求項３】
前記レーザ光源がダイヤモンドを発光材料とする半導体レーザであることを特徴とする請求項１記載の情報記録および／または再生装置。
【請求項４】
前記レーザ光源がＹＡＧレーザの４倍高調波であることを特徴とする請求項１記載の情報記録および／または再生装置。
【請求項５】
レーザ光を出射するレーザ光源と、このレーザ光が入射される対物レンズとソリッドイマージョンレンズから構成される２群レンズとを有し、前記レーザ光を前記２群レンズにより光記録媒体上に集光することにより情報信号を記録および／または再生する情報記録および／または再生装置であって、前記レーザ光の波長が２２０〜２８０ｎｍであり、
前記２群レンズの開口数が１以上であり、
前記ソリッドイマージョンレンズは酸化ハフニウムを材料として形成されていることを特徴とする情報記録および／または再生装置。
【請求項６】
前記ソリッドイマージョンレンズが超半球形状であることを特徴とする請求項５記載の情報記録および／または再生装置。
【請求項７】
前記レーザ光源がダイヤモンドを発光材料とする半導体レーザであることを特徴とする請求項５記載の情報記録および／または再生装置。
【請求項８】
前記レーザ光源がＹＡＧレーザの４倍高調波であることを特徴とする請求項５記載の情報記録および／または再生装置。
【発明の詳細な説明】
【０００１】
【発明の属する技術分野】
本発明は、レーザ光を２群レンズにより光記録媒体上に集光することにより情報信号を記録および／または再生する情報記録および／または再生装置に関する。
【０００２】
【従来の技術】
従来のＤＶＤ（Ｄｉｇｉｔａｌ　Ｖｅｒｓａｔｉｌｅ　Ｄｉｓｃ）等の光記録媒体においては、ディスク上に形成された微細情報ピットからのデジタル信号情報の読み取りや、デジタル信号情報の書き込みのために、可視域波長の半導体レーザ及び所定の開口数の対物レンズを主要部品として構成される光学式ピックアップを用いていた。例えば４．７ＧＢの記録容量を有するＤＶＤ−ＲОＭ（Ｒｅａｄ　Ｏｎｌｙ　Ｍｅｍｏｒｙ）では、波長６５０ｎｍの赤色半導体レーザと開口数（ＮＡ）が０．６の対物レンズを用いてディスク上の情報面にレーザ光を集光し、その反射戻り光強度の時間変化をＲＦ信号波形に変換し、情報再生を行っている。対応するディスクのピット列は、例えば、深さ約１１０ｎｍ、トラックピッチ０．７４μｍの間隔であり、ピット長及び間隔が最短０．４μｍから１．４７μｍの長さのピットがスパイラル状に並んでいる。
【０００３】
ところで、近年、ピックアップ光学系用のレーザ光源については、青色から紫外域までの波長で発振するＧａＮ系半導体レーザ（ＬＤ）の開発が急速に進展しており、ＤＶＤの次世代の光ディスク・システムに適用されようとしている。
【０００４】
このＧａＮ系ＬＤの実用的な最短発振波長は３５０ｎｍ程度になると思われ、その材料によって決まるバンドギャップによりこれ以上短波長にすることは困難である。また、対物レンズについては、ＤＶＤで用いるものと比較してかなり高いＮＡが０．８５程度の対物レンズが次世代の光ディスク・システムに適用される見込みである。このように対物レンズは顕微鏡並みの高ＮＡのものが近年検討されているが、従来と同様ないわゆるファーフィールド光学系における記録再生システムに適用される限り、更に高ＮＡ化を進めてもその限界は０．９５程度である。
【０００５】
【発明が解決しようとする課題】
近年の情報通信及び画像処理技術の急速な発展に伴い、光ディスクの記録容量も将来的には最近容量向上の著しいＨＤＤ（ハードディスク）と同様にサブテラバイト・クラスの容量が必要になる時が来ると予想される。ここで、このような近年の情報通信の急速な発展等に対応すべく、例えばＤＶＤと同じサイズ、同じ記録形式で光記録媒体について高記録密度大容量を実現することを考えてみる。
【０００６】
上述した最短発振波長が３５０ｎｍ程度のＧａＮ系半導体レーザおよび最大ＮＡが０．９５程度である対物レンズを組み合わせた場合の光学式ピックアップにより光記録媒体について記録再生可能な密度（容量）を、ＤＶＤ用ピックアップのパラメータを基準として簡単な比例計算で求めてみると、［（６５０（ｎｍ）／３５０（ｎｍ））×（０．９５／０．６）］２×４．７（ＧＢ）＝４１（ＧＢ）である。
【０００７】
よって、このような光学式ピックアップを用いる限り、例えば、ＤＶＤと同じサイズ、同じ記録形式で、単層当り４１ＧＢ程度の容量しか得ることができず、近年の情報通信及び画像処理技術の急速な発展に伴った、光記録媒体の高記録密度大容量化を実現することは困難である。
【０００８】
本発明はかかる問題点に鑑みてなされたもので、その目的は、高記録密度大容量の光記録媒体について情報信号を記録および／または再生することができる情報記録および／または再生装置を提供することにある。
【０００９】
【課題を解決するための手段】
本発明による情報記録および／または再生装置は、レーザ光を出射するレーザ光源と、このレーザ光が入射される対物レンズとソリッドイマージョンレンズから構成される２群レンズとを有し、レーザ光を２群レンズにより光記録媒体上に集光することにより情報信号を記録および／または再生する情報記録および／または再生装置であって、レーザ光の波長が２２０〜２８０ｎｍであり、２群レンズの開口数が１以上であり、ソリッドイマージョンレンズはダイヤモンドを材料として形成されているものである。
【００１０】
本発明による情報記録および／または再生装置では、レーザ光源から出射されるレーザ光の波長が２２０〜２８０ｎｍと短波長化されており、また、高屈折率のダイヤモンドを材料として形成されたソリッドイマージョンレンズにより２群レンズを構成して開口数が１以上の近接場光を利用する光学系であるようにしたので、光記録媒体上に集光されるレーザ光のスポット径を小さくすることができる。
【００１１】
また、本発明による情報記録および／または再生装置は、レーザ光を出射するレーザ光源と、このレーザ光が入射される対物レンズとソリッドイマージョンレンズから構成される２群レンズとを有し、レーザ光を２群レンズにより光記録媒体上に集光することにより情報信号を記録および／または再生する情報記録および／または再生装置であって、レーザ光の波長が２２０〜２８０ｎｍであり、２群レンズの開口数が１以上であり、ソリッドイマージョンレンズは酸化ハフニウムを材料として形成されているものである。
【００１２】
本発明による情報記録および／または再生装置では、レーザ光源から出射されるレーザ光の波長が２２０〜２８０ｎｍと短波長化されており、また、高屈折率の酸化ハフニウムを材料として形成されたソリッドイマージョンレンズにより２群レンズを構成して開口数が１以上の近接場光を利用する光学系であるようにしたので、光記録媒体上に集光されるレーザ光のスポット径を小さくすることができる。
【００１３】
【発明の実施の形態】
以下、本発明の実施の形態について図面を参照して詳細に説明する。図１は本発明の一実施の形態である情報記録および／または再生装置（情報記録再生装置）が備える２群レンズである収束レンズの構成、図２は図１に示した収束レンズを備える情報記録および／または再生装置の概略構成を表したものである。
【００１４】
この情報記録再生装置１０は、近接場光を利用して、光記録媒体２０の信号記録面２０ａに対して情報信号の記録および／または再生を行う装置である。この情報記録再生装置１０では、高記録密度大容量の光記録媒体２０、例えば、ＤＶＤと同じサイズ（径が１２０ｍｍ程度）で、同じ記録形式で、単層で１００ＧＢという容量を有し、現行のＤＶＤの約２１倍の高記録密度が実現された光記録媒体２０について情報信号の記録および／または再生を行うことが可能となる。
【００１５】
情報記録再生装置１０は、レーザ光源１１と、収束レンズ１２と、エキスパンダーレンズ群１３と、偏光ビームスプリッタ（ＰＢＳ：Ｐｏｌａｒｉｚｅｄ　Ｂｅａｍ　Ｓｐｌｉｔｔｅｒ）１４と、１／４波長板（ＱＷＰ：Ｑｕａｒｔｅｒ　Ｗａｖｅ　Ｐｌａｔｅ）１５と、集光レンズ１６と、フォトディテクタ（ＰＤ）１７と、信号再生処理部１８とを備えている。
【００１６】
レーザ光源１１は、情報記録および／または再生用レーザ光（記録再生用レーザ光Ｌ）を出射する光源である。このレーザ光源１１から出射される記録再生用レーザ光Ｌの波長は、短波長であり、ＤｅｅｐＵＶ（遠紫外線）領域である２２０ｎｍ〜２８０ｎｍである。
【００１７】
このようなレーザ光源１１としては、半導体レーザでは、例えばダイヤモンドを発光材料とするダイヤモンド系半導体レーザが用いられる。このダイヤモンド系半導体レーザは、波長２３５ｎｍ近傍で発振するレーザであり、バンドギャップが大きく、遠紫外線波長でも透過率が高い。
【００１８】
また、レーザ光源１１として、例えばＹＡＧレーザの４倍高調波を用いてもよい。このＹＡＧ４倍波レーザは、発振波長が２６６ｎｍ付近である固体レーザであり、コンパクトで消費電力が低い。
【００１９】
収束レンズ１２は、図１に示すように、先玉レンズであるＳＩＬ１２ａと、後玉レンズである対物レンズ１２ｂとからなる２群レンズにより構成されている。ここで、先玉レンズとは、光記録媒体２０に近い側の収束レンズをいい、後玉レンズとは、光記録媒体２０から先玉レンズと比べて遠い側の収束レンズをいう。この収束レンズ１２は、実効ＮＡが１以上の近接場光を利用した光学系である。
【００２０】
例えば、光記録媒体２０について、１００ＧＢの容量を可能とするためには、上述したＤＶＤ用ピックアップのパラメータ（レーザ光源の発振波長６５０ｎｍ、収束レンズ１２のＮＡ＝０．６０）を基準として簡単な比例計算で求めると、記録再生用レーザ光Ｌの波長が例えば２３５ｎｍであれば、収束レンズ１２のＮＡは１．０以上であればよい。また、記録再生用レーザ光Ｌの波長が例えば２６６ｎｍであれば、収束レンズ１２のＮＡは１．１３以上であればよい。
【００２１】
この先玉レンズであるＳＩＬ１２ａは、半球形状または超半球形状をしており、高屈折率、高透過率のレンズである。ここで、超半球形状とは、球をその中心を含まない平面で切った場合に、分割された２個の部分のうち中心を含む部分の形状をいう。このＳＩＬ１２ａは、球面と反対側の最下部端面である先端面を光記録媒体２０の信号記録面２０ａに向けて配置されている。このＳＩＬ１２ａの先端面と光記録媒体２０の信号記録面２０ａとの距離を近接場光が生じる領域（ニアフィールド領域）まで接近させることにより、光記録媒体２０について情報信号の記録および／または再生が行われる。
【００２２】
ＳＩＬ１２ａを形成する材料は、高屈折性、高透過性を有する例えばダイヤモンド、ＨｆО２（酸化ハフニウム）等である。このＳＩＬ１２ａとして、例えば非結晶ダイヤモンド材料からなる半球形状のレンズを用いる場合には、精密研磨されたダイヤモンド製ボールレンズを適切な長さでカットすればよい。
【００２３】
ＳＩＬ１２ａの材質が例えばダイヤモンドであって、記録再生用レーザ光Ｌの波長が２３５ｎｍ付近である場合には、ＳＩＬ１２ａの屈折率は２．６５程度であり、透過率は６３．３％程度である。
【００２４】
また、ＳＩＬ１２ａの材質がダイヤモンドであって、記録再生用レーザ光Ｌの波長が２６６ｎｍ付近である場合には、ＳＩＬ１２ａの屈折率は２．５７程度であり、透過率は６４．７％程度である。
【００２５】
ＳＩＬ１２ａの材質が例えば酸化ハフニウムであって、記録再生用レーザ光Ｌの波長が２３５ｎｍ付近である場合には、ＳＩＬ１２ａの屈折率は２．１７程度であり、透過率は７４．２％程度である。また、ＳＩＬ１２ａの材質が例えば酸化ハフニウムであって、記録再生用レーザ光Ｌの波長が２６６ｎｍ付近である場合には、ＳＩＬ１２ａの屈折率は２．１１程度であり、透過率は７５．７％程度である。
【００２６】
後玉レンズである対物レンズ１２ｂは、少なくとも片面が非球面のレンズであり、例えば両面とも非球面形状となるようにモールド加工して作製されたものである。この対物レンズ１２ｂは、例えば硝材を材料とする。
【００２７】
この対物レンズ１２ｂのＮＡは、ＳＩＬ１２ａの屈折率に依存する。半球形状のＳＩＬ１２ａの材質が例えばダイヤモンドであって、記録再生用レーザ光Ｌの波長が２３５ｎｍ付近である場合には、対物レンズ１２ｂのＮＡは０．４とすればよい。このように対物レンズ１２ｂのＮＡを０．４とすれば、ＳＩＬ１２ａの屈折率は２．６５程度であるので、０．４×２．６５＝１．０６となり、収束レンズ１２全体のＮＡは１．０以上の値となる。
【００２８】
また、半球形状のＳＩＬ１２ａの材質が例えばダイヤモンドであって、記録再生用レーザ光Ｌの波長が２６６ｎｍ付近である場合には、対物レンズ１２ｂのＮＡは０．４４程度とすればよい。このように対物レンズ１２ｂのＮＡを０．４４程度とすれば、ＳＩＬ１２ａの屈折率は２．５７程度であるので、０．４４×２．５７＝１．１３となり、収束レンズ１２全体のＮＡは１．１３以上の値となる。
【００２９】
半球形状のＳＩＬ１２ａの材質が例えば酸化ハフニウムであって、記録再生用レーザ光Ｌの波長が２３５ｎｍ付近である場合には、対物レンズ１２ｂのＮＡは０．４７程度とすればよい。このように対物レンズ１２ｂのＮＡを０．４７程度とすれば、ＳＩＬ１２ａの屈折率は２．１７程度であるので、０．４７×２．１７＝１．０２となり、収束レンズ１２全体のＮＡは１．０以上の値となる。
【００３０】
また、半球形状のＳＩＬ１２ａの材質が例えば酸化ハフニウムであって、記録再生用レーザ光Ｌの波長が２６６ｎｍ付近である場合には、対物レンズ１２ｂのＮＡは０．５４程度とすればよい。このように対物レンズ１２ｂのＮＡを０．５４程度とすれば、ＳＩＬ１２ａの屈折率は２．１１程度であるので、０．５４×２．１１＝１．１４となり、収束レンズ１２全体のＮＡは１．１３以上の値となる。
【００３１】
そして、ＳＩＬ１２ａが超半球形状である場合には、ＳＩＬ１２ａの記録再生用レーザ光Ｌの波長における屈折率をｎとすると、収束レンズ１２全体のＮＡは、対物レンズ１２ａの（ＮＡ）×ｎ２となり、ＳＩＬ１２ａが半球形状である場合と比べて増大する。
【００３２】
超半球形状のＳＩＬ１２ａの材質が例えばダイヤモンドであって、記録再生用レーザ光Ｌの波長が２３５ｎｍ付近である場合には、対物レンズ１２ｂのＮＡは０．１５程度とすればよい。このように対物レンズ１２ｂのＮＡを０．１５程度とすれば、ＳＩＬ１２ａの屈折率は２．６５程度であるので、簡単に計算すると、０．１５×２．６５２＝１．０５となり、収束レンズ１２全体のＮＡは１．０以上の値となる。
【００３３】
また、超半球形状ＳＩＬ１２ａの材質が例えばダイヤモンドであって、記録再生用レーザ光Ｌの波長が２６６ｎｍ付近である場合には、対物レンズ１２ｂのＮＡは０．１８程度とすればよい。このように対物レンズ１２ｂのＮＡを０．１８程度とすれば、ＳＩＬ１２ａの屈折率は２．５７程度であるので、０．１８×２．５７２＝１．１９となり、収束レンズ１２全体のＮＡは１．１３以上の値となる。
【００３４】
超半球形状のＳＩＬ１２ａの材質が例えば酸化ハフニウムであって、記録再生用レーザ光Ｌの波長が２３５ｎｍ付近である場合には、対物レンズ１２ｂのＮＡは０．２２程度とすればよい。このように対物レンズ１２ｂのＮＡを０．２２程度とすれば、ＳＩＬ１２ａの屈折率は２．１７程度であるので、０．２２×２．１７２＝１．０４となり、収束レンズ１２全体のＮＡは１．０以上の値となる。
【００３５】
また、超半球形状のＳＩＬ１２ａの材質が例えば酸化ハフニウムであって、記録再生用レーザ光Ｌの波長が２６６ｎｍ付近である場合には、対物レンズ１２ｂのＮＡは０．２６程度とすればよい。このように対物レンズ１２ｂのＮＡを０．２６程度とすれば、ＳＩＬ１２ａの屈折率は２．１１程度であるので、０．２６×２．１１２＝１．１６となり、収束レンズ１２全体のＮＡは１．１３以上の値となる。
【００３６】
なお、この情報記録再生装置１０により情報信号の記録および／または再生が行われる、例えばＤＶＤと同じサイズで、同じ記録形式で、単層で１００ＧＢという容量を有する光記録媒体２０上に形成されるピットのサイズは、上述のＤＶＤ用ピックアップを基準として簡単な比例計算で求めると、トラックピッチは１６０ｎｍ程度、最短ピット長は８６ｎｍ程度となる。
【００３７】
このような微細なピットは、ＤＶＤに適用される波長３５０ｎｍ近傍の紫外線（ＵＶ）レーザを用いたカッティング装置では解像不可能であるため、紫外線レーザの代わりにビーム径を６０ｎｍ程度まで集束した電子ビームを用いたカッティング装置により描画形成される。
【００３８】
この情報記録再生装置１０により、近接場光を利用して、光記録媒体２０の信号記録面２０ａに対して情報信号の再生を行うには、まず、レーザ光源１１から遠紫外線領域である２２０ｎｍ〜２８０ｎｍの波長の再生用レーザ光Ｌを出射させる。この再生用レーザ光Ｌをエキスパンダーレンズ群１３により径を大きくしてＰＢＳ１４に透過させる。このＰＢＳ１４を透過した再生用レーザ光Ｌを１／４波長板１５に透過させる。この１／４波長板１５を透過した再生用レーザ光Ｌは、実効ＮＡが１以上である収束レンズ１２を構成する対物レンズ１２ｂおよびＳＩＬ１２ａに入射される。図示しないギャップ制御装置等により、ＳＩＬ１２ａの先端面と光記録媒体２０の信号記録面２０ａとの距離は近接場光が生じる一定の距離に制御され、ＳＩＬ１２ａの先端面上に集光された再生用レーザ光Ｌがしみだす。再生用レーザ光Ｌは、光記録媒体２０の信号記録面２０ａ上に集光されスポットが形成される。そして、光記録媒体２０の信号記録面２０ａで反射された戻り光が、ＳＩＬ１２ａ、対物レンズ１２ｂおよび１／４波長板１５を透過して、ＰＢＳ１４に入射される。この戻り光は、ＰＢＳ１４で反射され、集光レンズ１６に入射され、集光レンズ１６によりＰＤ１７上に集光される。このＰＤ１７により戻り光の強度が検出され、ＰＤ１７は戻り光の強度に応じた電気信号を出力する。この電気信号が信号再生処理部１８に入力されて、信号再生処理部１８によって光記録媒体２０からの情報信号の再生の処理が行われる。
【００３９】
また、この情報記録再生装置１０により、近接場光を利用して、光記録媒体２０の信号記録面２０ａに対して情報信号の記録を行うには、まず、レーザ光源１１から遠紫外線領域である２２０ｎｍ〜２８０ｎｍの波長の記録用レーザ光Ｌを出射させる。この記録用レーザ光Ｌをエキスパンダーレンズ群１３により径を大きくしてＰＢＳ１４に透過させる。このＰＢＳ１４を透過した記録用レーザ光Ｌを１／４波長板１５に透過させる。この１／４波長板１５を透過した記録用レーザ光Ｌは、実効ＮＡが１以上である収束レンズ１２を構成する対物レンズ１２ｂおよびＳＩＬ１２ａに入射される。図示しないギャップ制御装置等により、ＳＩＬ１２ａの先端面と光記録媒体２０の信号記録面２０ａとの距離は近接場光が生じる一定の距離に制御され、ＳＩＬ１２ａの先端面上に集光された記録用レーザ光Ｌがしみだす。記録用レーザ光Ｌは、光記録媒体２０の信号記録面２０ａ上に集光されスポットが形成される。これにより、光記録媒体２０の信号記録面２０ａへの情報信号の記録が行われる。
【００４０】
このように本実施の形態の情報記録再生装置では、レーザ光源１１から出射される遠紫外線領域の波長である短波長の２２０ｎｍ〜２８０ｎｍの記録再生用レーザ光Ｌにより光記録媒体２０について情報の再生や記録が行われ、高屈折率、高透過率のダイヤモンドや酸化ハフニウム等を材料とするＳＩＬ１２ａにより構成される実効ＮＡが１以上である収束レンズ１２により記録再生用レーザ光Ｌを光記録媒体２０へと集光するので、光記録媒体２０の信号記録面２０ａ上のスポット径を小さくすることができる。
【００４１】
したがって、高記録密度大容量の光記録媒体２０について情報信号の記録および／または再生を行うことができ、例えば、ＤＶＤと同じサイズで、同じ記録形式で、単層で１００ＧＢという容量を有し、現行のＤＶＤの約２１倍の高記録密度が実現された光記録媒体２０について情報信号の記録および／または再生を行うことが可能となる。
【００４２】
また、本実施の形態では、収束レンズ１２を構成するＳＩＬ１２ａの材料として高屈折率、高透過率のダイヤモンドや酸化ハフニウム等を用いるようにしたので、収束レンズ１２をＳＩＬ１２ａとともに構成する対物レンズ１２ｂのＮＡを小さくすることができる。よって、対物レンズ１２ｂは製造しやすく、高精度なものを用いることができる。
【００４３】
さらに、本実施の形態では、ＳＩＬ１２ａを超半球形状とすると、収束レンズ１２全体のＮＡは増大し、より高記録密度大容量の光記録媒体２０について情報信号の記録および／または再生を行うことができる。また、ＳＩＬ１２ａを超半球形状とすることによって、対物レンズ１２ｂのＮＡについてより小さくすることができるので、対物レンズ１２ｂについてより製造しやすく、より高精度なものを用いることができる。
【００４４】
以上、実施の形態を挙げて本発明を説明したが、本発明は上記実施の形態に限定されるものではなく、種々変形可能である。例えば、上記実施の形態では、情報記録再生装置１０により、例えばＤＶＤと同じサイズで、同じ記録形式で、単層で１００ＧＢという容量を有する光記録媒体２０に情報信号の記録および／または再生が行われる例について説明したが、出射する記録再生用レーザ光Ｌがより短い波長を有するレーザ光源を用いたり、対物レンズ１２ｂのＮＡをより大きくすること等によって、より高記録密度大容量の光記録媒体２０について情報信号の記録および／または再生を行うこともできる。
【００４５】
【発明の効果】
以上説明したように、本発明による情報記録および／または再生装置によれば、レーザ光源から出射されるレーザ光が短波長化され、高屈折率のソリッドイマージョンレンズにより２群レンズを構成して開口数が１以上の近接場光を利用する光学系であるようにしたので、高記録密度大容量の光記録媒体について情報信号の記録および／または再生を行うことができる。
【図面の簡単な説明】
【図１】本発明の一実施の形態に係る情報記録再生装置が備える２群レンズである収束レンズの構成を表す拡大断面図である。
【図２】本発明の一実施の形態に係る情報記録再生装置の概略構成を表す説明図である。
【符号の説明】
１０…情報記録再生装置、１１…レーザ光源、１２…収束レンズ、１２ａ…ＳＩＬ、１２ｂ…対物レンズ、Ｌ…記録再生用レーザ光、２０…光記録媒体、２０ａ…信号記録面
【図１】
2004039046.tif 000003
【図２】
2004039046.tif 000004